(57)【要約】【課題】停電した際の原因を的確に把握し、ユーザに対して停電の原因を明確に知らしめられるようにする。【解決手段】３線式の配線ｃ１〜ｃ３が接続される開閉器としての漏電遮断器２において、該漏電遮断器２の一次側における、第１相の電圧線ｃ１および第３相の電圧線ｃ３の通電状態を少なくとも表示する一次側通電状態表示部６０，６２を備える。具体的には、この一次側通電状態表示部６０は、第１相の電圧線ｃ１および第２相の中性線ｃ２の間、第３相の電圧線ｃ３および第２相の中性線ｃ２の間に、抵抗Ｒおよび発光ダイオード６１，６３による直列回路が接続されて構成される。【選択図】図１
2013182821.tif 000002
【特許請求の範囲】
【請求項１】
３線式の配線が接続される開閉器において、
開閉器の一次側における、第１相の電圧線および第３相の電圧線の通電状態を少なくとも表示する一次側通電状態表示部を備えたことを特徴とする開閉器。
【請求項２】
３線式の配線が接続される開閉器において、
開閉器の一次側における第１相の電圧線と第２相の中性線との第１線間電圧を検知する第１線間電圧検知部と、
開閉器の一次側における第３相の電圧線と第２相の中性線との第２線間電圧を検知する第２線間電圧検知部と、
第１線間電圧検知部による０Ｖ検知と、第２線間電圧検知部による０Ｖ検知とに所定時間の時間差が生じた場合、電力会社との契約が廃止されたことによる停電であることを、音声によるガイダンス、または、該ガイダンスなしの停電状態によって、ユーザに知らしめるように構成される制御手段とを備えたことを特徴とする開閉器。
【請求項３】
前記制御手段は、第１線間電圧検知部および第２線間電圧検知部が同時に０Ｖ検知した場合と、第１線間電圧検知部または第２線間電圧検知部のいずれかが０Ｖ検知した場合とにおいて、電力会社に停電状態であることを連絡する旨をユーザに対して音声でガイダンスすることを特徴とする請求項２に記載の開閉器。
【発明の詳細な説明】
【技術分野】
【０００１】
本発明は、配線から供給される電力を複数の需要家に供給するための分電盤に配置される漏電遮断器や配線用遮断器などの開閉器に関し、特に、欠相（線間電圧の不平衡）や漏電電流を検出して、光や音で表示する機能を有する開閉器に関する。
【背景技術】
【０００２】
従来から、配線から供給される電力を屋内の複数のエリアに供給するのに屋内用分電盤が用いられている。
【０００３】
該屋内用分電盤は、例えば、需要家が一般住宅の場合であれば、一次側の配線と、二次側の配線とを備えている。一次側の配線は、電柱から低圧引込線、電力計を介して屋内用分電盤に引き込まれる。そして、一次側の配線は、１本の中性線と、２本の電圧線とを有する単相３線式が適用されている。中性線は、電柱に装柱される配電用変圧器の二次側の中性点を接地して引き出される。電圧線は、中性線を挟んで互いが平行するように左右に配線されている。屋内用分電盤は、内部に、漏電遮断器と、複数の配線遮断器が配置されている。そして、漏電遮断器および配線用遮断器によって、屋内の複数エリアに電力が供給されている。
【０００４】
漏電遮断器および複数の配線用遮断器は、一次側と二次側との電気的な接続を切断するための切断手段を備えている。そして、非常時などにおいて、切断手段によって電気的な接続を切断し、二次側への電力の供給を停止できるようになっている。
【０００５】
具体的に説明すると、前記切断手段は、一次側と二次側とが電気的に接続される接続状態と、電気的な接続が切断される切断状態とに外部から切換可能な切換機構（以下、第一切換機構という）を備えている。該第一切換機構は、外部操作するためのレバーと、一次側及び二次側を電気的に接続する接点と前記レバーとを作動的に接続する接続機構（例えば、リンク機構）とを備えており、レバーを操作することで、接点を開閉して電気的に接続した接続状態と該接続が切断される切断状態とに切り替わるようになっている。そして、漏電遮断器および複数の配線用遮断器は、漏電、電気の使いすぎなどによって電力消費が所定以上になると第一切換機構（接続機構）を作動させる作動体（例えば、バイメタルや電磁石等）を備えており、非常時において自動的に接続を切断し、火事等の発生を防止するようになっている。
【０００６】
漏電遮断器および複数の配線用遮断器は、上述の如く、接続機構が接点とレバーとを作動的に接続しているので、作動体が接続機構を作動させたときにレバーも連動し、該レバーを操作することで切断状態から接続状態に復帰させることができるようになっている。
【０００７】
漏電遮断器は、漏電が発生したときに切断状態になるように構成されている。そして、漏電遮断器の切断手段は、第一切換機構に加え、漏電時に接続状態から切断状態に切り換える切換機構（以下、第二切換機構という）を更に備えている。第二切換機構は、一次側と二次側との電位差が０に近づくと瞬時に第一切換機構の接続機構を作動させる電磁石等の作動体や、第一切換機構の接続機構等に連動して漏電発生を告知する漏電表示ボタン等を備えており、漏電発生に伴う火災事故の発生等を未然に防止できるようになっている。
【０００８】
かかる漏電遮断器は、第二切換機構が第一切換機構（接続機構）に作動的に設けられているので、漏電によって接続機構を作動したときにレバーも連動し、該レバーを操作することで切断状態から接続状態に復帰させることができるようになっている。なお、漏電遮断器によっては、漏電表示ボタンを押し操作しながらレバー操作を行って復帰させるものもある。
【０００９】
ところで、屋内の各エリアへの電力供給の停止は、一次側の配線からの電力供給の停止（停電）、一次側の配線の中性線の欠相による電力供給の遮断、屋内用分電盤よりも二次側での漏電、エリア内での電気の使いすぎ等による配線用遮断器での通電の遮断、配線用遮断器の故障などによるものであるが、電力供給の停止の原因を的確に把握することは困難である。即ち、ユーザは、分電盤内の配線用遮断器のレバーの位置で電力供給が停止されたことを判断することしかできず、どのような原因によって停電となっているのか判らず、戸惑ってしまう場合がある。
【００１０】
一方、負荷電流、漏れ電流、および線間電圧を検出し、この検出結果を基に解析を行って停電の原因を特定する電源監視レコーダが提案されている（例えば、特許文献１参照）。
【先行技術文献】
【特許文献】
【００１１】
【特許文献１】特許登録第２７４１１３０号
【発明の概要】
【発明が解決しようとする課題】
【００１２】
しかしながら、前記公報の電源監視レコーダは、停電の原因が、負荷電流、漏れ電流、および線間電圧のうちいずれであるかは特定できるものの、一次側の配線のうち、一対の電圧線のいずれが断線したのか知ることはできないし、ユーザに対する契約廃止によって停電したのか知ることはできない。結果的には、ユーザが戸惑うことは何ら代わりがない。
【００１３】
そこで、本発明は、前記実情に鑑み、停電した際の原因を的確に把握し、ユーザに対して停電の原因を明確に知らしめることができる開閉器を提供することを課題とする。
【課題を解決するための手段】
【００１４】
第１の発明に係る開閉器は、３線式の配線が接続される開閉器において、開閉器の一次側における、第１相の電圧線および第３相の電圧線の通電状態を少なくとも表示する一次側通電状態表示部を備えたことを特徴とする。
【００１５】
この場合、第１相の電圧線または第３相の電圧線のいずれか、もしくは、第１相の電圧線および第３相の電圧線の両方が停電したのかを、一次側通電状態表示部により表示されるので、ユーザは、一次側における停電であることを視認することができる。すなわち、電力会社における停電であることを認識することができる。
【００１６】
第２の発明に係る開閉器は、３線式の配線が接続される開閉器において、開閉器の一次側における第１相の電圧線と第２相の中性線との第１線間電圧を検知する第１線間電圧検知部と、開閉器の一次側における第３相の電圧線と第２相の中性線との第２線間電圧を検知する第２線間電圧検知部と、第１線間電圧検知部による０Ｖ検知、および、第２線間電圧検知部による０Ｖ検知に所定時間の時間差が生じた場合、電力会社との契約が廃止されたことによる停電であることを、音声によるガイダンス、または、該ガイダンスなしの停電状態によって、ユーザに知らしめるように構成される制御手段とを備えたことを特徴とする。
【００１７】
かかる構成によれば、制御手段は、第１線間電圧検知部による０Ｖ検知と、第２線間電圧検知部による０Ｖ検知とに所定時間の時間差が生じた場合、電力会社との契約が廃止されたことによる停電であることを、ユーザに対して音声でガイダンスする。もしくは、制御手段は、ガイダンスなしの停電状態とすることで、電力会社との契約が廃止されたことによる停電であることを、ユーザに対して知らしめる。
【００１８】
一方、ユーザは、制御手段による音声ガイダンスで、電力会社との契約廃止を知ることができる。もしくは、ユーザは、音声ガイダンスなしの停電状態であることから、電力会社との契約廃止を知ることができる。
【００１９】
また、本発明によれば、前記制御手段は、第１線間電圧検知部および第２線間電圧検知部が同時に０Ｖ検知した場合と、第１線間電圧検知部または第２線間電圧検知部のいずれかが０Ｖ検知した場合とにおいて、電力会社に停電状態であることを連絡する旨をユーザに対して音声でガイダンスするように構成されてもよい。
【００２０】
この場合、ユーザは、制御手段からの音声ガイダンスによって、一次側における停電であることを認識できるとともに、停電状態を電力会社に連絡するという処置をとることができる。すなわち、ユーザは、停電があったとしても戸惑うことなく対処できるようになる。
【発明の効果】
【００２１】
以上のように、本発明に係る開閉器によれば、一次側における停電状態を的確に把握し、ユーザに対して停電の原因を明確に知らしめることができるという優れた効果を奏し得る。
【図面の簡単な説明】
【００２２】
【図１】本発明に係る第１実施形態の開閉器（漏電遮断器および配線用遮断器）が配置された屋内用分電盤を示す斜視図。
【図２】図１の漏電遮断器および配線用遮断器の実体配線図。
【図３】（ａ）は、図１の漏電遮断器の第１切換機構を示す図、（ｂ）は、第２切換機構を示す図。
【図４】図１の漏電遮断器の内部回路を示す図。
【図５】図１の漏電遮断器の内部回路の変形例を示す図。
【図６】本発明に係る第２実施形態の漏電遮断器および配線用遮断器の実体配線を示す図。
【図７】図６の漏電遮断器の内部回路を示す図。
【図８】図６の配線用遮断器の内部回路を示す図。
【図９】図６の漏電遮断器における制御手段により制御される一対の線間電圧センサのタイミングチャートを示す図。
【発明を実施するための形態】
【００２３】
以下、本発明の実施形態に係る開閉器について、図１〜図９を参照しつつ説明する。なお、図１、図２、図６を正面から見て、上下左右と位置づけする。
【００２４】
（第１実施形態）
まず、第１実施形態に係る開閉器について、屋内用分電盤に配置された漏電遮断器を例にとって説明するが、ここで、屋内用分電盤の構成について説明する。該屋内用分電盤１は、図１および図２に示すように、漏電遮断器２と、複数の配線用遮断器３，…と、補助電源（図示せず）とが筺体１ａの内部に配置され、該筺体１ａが屋内の壁面等に取り付けられる。
【００２５】
漏電遮断器２および配線用遮断器３，…は、図２〜図４に示すように、一次側の屋外配線ｃ１〜ｃ３と、二次側の室内配線ｃ２１〜ｃ２３とを電気的に接続する接点（図４に示す漏電遮断器２の主接点Ｓ１〜Ｓ３）と、該接点を開閉して電力供給とその遮断とを切り換える切断手段５（第１切換機構５０）と、過電流が流れたときに接点を開いて電力供給を遮断させるための作動体としてのバイメタル等の圧電素子（図示せず）とを備えている。
【００２６】
そして、漏電遮断器２は、図１に示すように、屋内用分電盤１の左端に配置されている。また、配線用遮断器３，…は、図１に示すように、屋内用分電盤１において、漏電遮断器２との間に、後述する告知手段１４のスピーカ１４０を挟んでその右方に複数配置されている。また、配線用遮断器３，…は、図２に示すように、漏電遮断器２の二次側に接続電線ｃ１１〜ｃ１３を介して電気的に接続されている。即ち、配線用遮断器３，…は、漏電遮断器２を介して屋外から引き込まれた一次側の屋外配線ｃ１〜ｃ３に電気的に接続されている。
【００２７】
切断手段５（第１切換機構５０）は、図３（ａ）に示すように、ユーザが外部から操作するためのレバー５１と、該レバー５１の動作と接点の開閉とを連動させるようにレバー５１と接点とを作動的に接続する接続機構５２とで構成されている。
【００２８】
接続機構５２には、リンク機構、またはカム機構、或いはこれらを組み合わせた機構が採用されている。この接続機構５２には、リンク機構が採用されており、前記圧電素子についても作動的に接続されている。これにより、電気の使い過ぎ等で過電流が流れるに伴って圧電素子が作動（例えば、変形）することでリンク機構５２が作動し、接点が開くと共にレバー５１の位置が変更するようになっている。そして、接点が開いた状態でレバー５１の位置を変更する（動かす）ことで、該接点が閉じて電力供給可能（通電可能）な状態に復帰できるようになっている。
【００２９】
漏電遮断器２は、機構的要素として、上述した切断手段５の第１切換機構５０に加えて、第２切換機構５５をさらに備えている。該第２切換機構５５は、図３（ｂ）に示すように、漏電等の発生によって急激に電流が流れたとき、即ち、一次側と二次側との電位差が０に近づく、或いは０になったときに、強力な磁力を瞬時に発生させる作動体としての磁力発生体５５１と、傾動可能に設けられるとともに、第１切換機構５０の接続機構５２に対して作動的に接続された可動鉄片５５２とを備えている。該第２切換機構５５は、急激に電流が流れたときに磁力発生体５５１が発生する強力な磁力によって可動鉄片５５２が瞬時に動作し、これに伴って第１切換機構５０の接続機構５２が作動して接点を開くようになっている。
【００３０】
さらに、漏電遮断器２は、図１〜図３（ｂ）に示すように、漏電表示ボタン５５３を備えている。漏電表示ボタン５５３は、漏電時における可動鉄片５５２の動作に連動して外部に突出し、漏電が発生している旨をユーザに知らしめる漏電表示ボタン５５３を備えている。漏電表示ボタン５５３は、可動鉄片５５２または接続機構５２に作動的に接続されており、漏電時に可動鉄片５５２等の動作と連動するとともに、外部に突出している状態（漏電である旨を示している状態）で接続機構５２の作動を阻害し、安易に接点が閉状態にならないようになっている。即ち、該漏電遮断器２は、漏電表示ボタン５５３によって漏電が発生している旨を示している状態で、第１切換機構５０のレバー５１の操作だけで復帰できないようになっており、復帰するに際して、漏電表示ボタン５５３を突出状態から退避状態となるように、ユーザが押し操作しつつ第１切換機構５０を操作する（レバー５１の位置を変更する）ことで復帰できるようになっている。また、漏電表示ボタン５５３は、図１および図２に示すように、漏電遮断器２の本体２ａの右側において、後述する漏電表示用のＬＥＤ９１と、漏電動作のテストボタン９２１との間に配置されている。
【００３１】
また、漏電遮断器２は、図４に示すように、電気的要素として、通電状態表示手段６と、線間電圧検知手段７と、欠相検出手段８と、漏電電流検出手段９と、主接点遮断手段１０と、電源供給手段１１と、記憶手段１２と、制御手段１３と、告知手段１４と、充電式電源（図示せず）とを備えている。
【００３２】
通電状態表示手段６は、図１、図２、図４に示すように、緑色の発光ダイオード（以下、ＬＥＤという）６１を有する第１通電状態表示部６０、および、緑色のＬＥＤ６３を有する第２通電状態表示部６２を備えている。第１通電状態表示部６０、および、第２通電状態表示部６２は、漏電遮断器２の本体２ａの上側部の両側に配置されている。具体的には、第１通電状態表示部６０は、３線式の配線が接続される一次側接続部において、第１相の電圧線ｃ１および第２相の中性線ｃ２の第１線間に接続される、ＬＥＤ６１および抵抗Ｒによる直列回路を有する。第２通電状態表示部６２は、第３相の電圧線ｃ３および第２相の中性線ｃ２の第２線間に接続される、ＬＥＤ６３および抵抗Ｒによる直列回路を有する。そして、一次側において停電が発生した場合、第１相の電圧線ｃ１または第３相の電圧線ｃ３の停電（１線停電）か、もしくは、第１相の電圧線ｃ１および第３相の電圧線ｃ３の停電（２線停電）かを表示できるようになるため、ユーザは、一次側における停電の状態を的確に知ることができる。
【００３３】
線間電圧検知手段７は、図４に示すように、第１線間電圧検知部７０と、第２線間電圧検知部７２とを備えている。第１線間電圧検知部７０は、３線式の配線が接続される一次側接続部において、第１相の電圧線ｃ１および第２相の中性線ｃ２の第１線間に接続される、第１線間電圧センサ７１を有する。第２線間電圧検知部７２は、第３相の電圧線ｃ３および第２相の中性線ｃ２の第２線間に接続される、第２線間電圧センサ７３を有する。
【００３４】
欠相検出手段８は、図４に示すように、比較判定部（図示せず）と、黄色のＬＥＤ８１を有する表示部とを備えている。比較判定部は、予め設定されている基準値と、第１線間電圧センサ７１および第２線間電圧センサ７３に入力される信号値との比較によって、通電している状態か、遮断している状態か、第２相の中性線ｃ２が欠相して、第１線間電圧と第２線間電圧とが不平衡になっているかを検出できる構成になっている。表示部としてのＬＥＤ８１は、図１および図２に示すように、漏電遮断器２の本体２ａの左側上部に配置されている。そして、表示部は、電圧不平衡（過電圧）を検知した場合、ＬＥＤ８１が点灯するように構成されている。
【００３５】
漏電電流検出手段９は、図４に示すように、零相変流器９０を有する検知部と、赤色のＬＥＤ９１を有する表示部と、漏電動作試験部９２とを備えている。検知部は、二次側の配線路に発生する漏電電流を検知すべく、零相変流器９０が二次側の配線路に設けられている。表示部としてのＬＥＤ９１は、図１および図２に示すように、漏電遮断器２の本体２ａの右側下部（漏電表示ボタン５５３の上方）に配置されている。そして、零相変流器９０によって漏電電流が検知されると、表示部としてのＬＥＤ９１が点灯する。漏電動作試験部９２は、給電線９２０と、テストボタン９２１と、抵抗９２２と、コイル損傷防止のスイッチ９２３とを備えている。給電線９２０は、第１相の電圧線ｃ１または第３相の電圧線ｃ３と、第２相の中性線ｃ２との間に前記零相変流器９０をターンして配線されている。テストボタン９２１は、漏電遮断器２の本体２ａの右側下端部（漏電表示ボタン５５３の下方）に配置され、ターンして配線された給電線９２０を開閉するように電気的に接続されている。また、テストボタン９２１は、通常時は開状態になっている。抵抗９２２は、給電線９２０に接続され、疑似漏電電流を生成する。そして、漏電遮断動作をテストする場合は、テストボタン９２１をオンし、抵抗９２２に疑似漏電電流が流れるようになり、この疑似漏電電流が零相変流器９０によって検知されることによって、オン状態の漏電遮断器２の主接点Ｓ１〜Ｓ３がオフされる。
【００３６】
主接点遮断手段１０は、図４に示すように、線間電圧検知手段の０Ｖ検知、欠相検出手段による電圧不平衡の検出、漏電電流検出手段による漏電電流（疑似漏電電流）の検出に基づいて、オン状態の漏電遮断器２の主接点Ｓ１〜Ｓ３を遮断するように構成されている。
【００３７】
電源供給手段１１は、図４に示すように、通電状態表示用のＬＥＤ６１，６３、線間電圧センサ７１，７３、欠相検出手段８、欠相検出用のＬＥＤ８１、漏電電流検出手段９、漏電電流検出用のＬＥＤ９１、および主接点遮断手段１０に電源を供給できるように構成されている。なお、通電状態表示手段６、線間電圧検知手段７、欠相検出手段８、漏電電流検出手段９、主接点遮断手段１０により検出処理手段Ａが構成されている。
【００３８】
記憶手段１２は、ＲＡＭで構成されている。また、記憶手段１２は、一連の処理（例えば、判断処理）を行うためのソフトウェアと、漏電遮断器２の一次側の通電状態に対応した複数のガイダンス情報とが記憶されている。該ガイダンス情報には、後述のモニタ１４２に表示するための所定の内容の文字情報および図柄情報と、後述のスピーカ１４０から発するための音声情報とが設定されている。また、ガイダンス情報は、通電状態表示手段６、線間電圧検知手段７，欠相検出手段８、漏電電流検出手段９、および主接点遮断手段１０の出力信号に基づいて、複数の組合せパターンに対応している。
【００３９】
なお、ここでいう、ガイダンス情報とは、ユーザに対して電力供給の停止についての説明に関する情報であって、二次側への電力供給の停止の原因や、電力供給の停止に対する対処などを含むものとする。例えば、漏電遮断器２および配線用遮断器３，…の全てがオン状態（レバー５１がオン位置）で、漏電遮断器２の一次側に電圧がない（０Ｖ）という条件と、「最寄りの電力会社に連絡する」という旨のガイダンス情報とが関連付けられて後述の記憶手段１２に記憶されている。なお、通電状態表示手段６、線間電圧検知手段７，欠相検出手段８、漏電電流検出手段９、および主接点遮断手段１０の出力信号の組み合わせパターン、および、これに関連付けられるガイダンス情報は、その他複数あるものとする。このようなガイダンス情報を後述の告知手段１４で告知するようにしているので、ユーザは、告知手段１４の内容を基に現状を的確且つ迅速に把握することができる。
【００４０】
制御手段１３は、演算素子（ＣＰＵ）で構成されている。そして、制御手段１３は、複数のガイダンス情報の中から通電状態表示手段６、線間電圧検知手段７、欠相検出手段８、および漏電電流検出手段９の出力信号に対応するガイダンス情報を抽出する。具体的に説明すると、制御手段１３は、入力される各種情報及び信号等を基にして、一連の演算処理（判断処理、抽出処理等）を行うように構成されている。
【００４１】
告知手段１４は、音声出力部と、情報表示部とを備えている。音声出力部は、図１に示すように、屋内用分電盤１において、漏電遮断器２と配線用遮断器３との間に配置されたスピーカ１４０を有している。そして、スピーカ１４０によって、抽出されたガイダンス情報、すなわち情報表示部としてのモニタ１４２に表示されるガイダンス情報と対応する内容の音声を外部に告知する。モニタ１４２は、図１に示すように、屋内用分電盤１の下側に取り付けられている。そして、モニタ１４２によって、抽出されたガイダンス情報を文字や図柄によって外部に表示する。このようにすることで、ユーザが電力供給の停止の原因や復帰の仕方を的確に把握することができる。なお、モニタ１４２は、ドットディスプレイ或いは液晶画面などの薄型のディスプレイが採用される。
【００４２】
充電式補助電源は、一次側の配線に接続された充電装置（図示しない）と、充電装置によって充電されるバッテリ（図示しない）とを備えている。そして、一次側の配線からの電力供給が絶たれた場合（停電の場合）であっても、バッテリからの電力供給で、通電状態表示手段６、線間電圧検知手段７、欠相検出手段８、漏電電流検出手段９、主接点遮断手段１０、記憶手段１２、および制御手段１３などを確実に作動させて告知手段１４で適切なガイダンスを行うことができるように構成されている。また、充電式電源（充電装置）は、通常の状態でバッテリの充電を行うとともに、通電状態表示手段６、線間電圧検知手段７、欠相検出手段８、漏電電流検出手段９、主接点遮断手段１０、記憶手段１２、制御手段１３、および告知手段１４などに対して電力供給を行って常時作動させることができるように構成されている。
【００４３】
つぎに使用態様について説明する。まず、正常に電力供給が行われている場合、制御手段１３は、漏電遮断器２の通電状態表示手段６と、線間電圧検知手段７と、欠相検出手段８と、漏電電流検出手段９とが適正な状態であると判定するとともに、記憶手段１２に記憶させた正常状態のパターンと一致すると判定する。そして、制御手段１３は、告知手段１４による告知を行わない、或いは、標準状態に対応する内容の告知、例えば、図１に示すモニタ１４２に「停電時にガイダンスを表示する」旨を表示させる。
【００４４】
つぎに、電力供給が停止（停電）した場合について説明する。制御手段１３は、線間電圧検知手段７の出力信号が、記憶手段１２に記憶させた正常状態のパターンと一致しないことを判定し、電力供給の停止の原因等について判断する。まず、一次側において停電が発生した場合、制御手段１３は、第１線間電圧センサ７１および第２線間電圧センサ７３の検出信号に基づいて、漏電遮断器２の一次側から電力供給されているか否かを判断する一方、通電状態表示手段６のＬＥＤ６１，６３の両方、または、いずれか一方が点灯しているかを判定する。そして、制御手段１３は、第１線間電圧センサ７１および第２線間電圧センサ７３から入力信号がない（検出結果が０Ｖである）と判断するとともに、通電状態表示手段６のＬＥＤ６１，６３の両方、または、いずれか一方が点灯していると判断した場合、一次側の配線側（電力設備）での問題で電力供給が停止した（停電した）として、この条件に対応するガイダンス情報を抽出し、抽出したガイダンス情報の内容、例えば、「外部に停電の原因があるため、最寄りの電力会社に連絡してください。」という旨が告知手段１４のスピーカ１４０およびモニタ１４２によって告知される。
【００４５】
ガイダンス情報が告知されたユーザは、屋内用分電盤１において、第１相の電圧線ｃ１の停電（１線停電）か、もしくは、第１相の電圧線ｃ１および第２相の電圧線ｃ２の停電（２線停電）かが通電状態表示手段６のＬＥＤ６１，６３により点灯表示されるので、一次側の停電であることを知ることができるとともに、この停電の状態が、１線停電か、２線停電であるのかを的確に把握できるようになる。
【００４６】
つぎに、第２相の中性線ｃ２の欠相によって停電した場合について説明する。この場合は、欠相検出手段８により、第１線間電圧センサ７１および第２線間電圧センサ７３の検出信号の大きさが異なるか否かを判定する。そして、欠相検出手段８が、第１線間電圧センサ７１および第２線間電圧センサ７３の検出信号の大きさが異なると判定した場合、３線のうち、第２相の中性線ｃ２が断線したと判断されて、これに対応するガイダンス情報が制御手段１３によって抽出され、例えば、「過電圧状態となっているので、最寄りの電力会社に連絡してください」という旨のガイダンスが告知手段１４のスピーカ１４０およびモニタ１４２によって告知される。ユーザは、これによって、欠相による停電であることを知ることができる。
【００４７】
つぎに、漏電電流によって停電した場合について説明する。この場合、漏電電流検出手段９の零相変流器９０により、漏電電流の有無を判定する。そして、零相変流器９０によって漏電電流が検知されると、これに対応するガイダンス情報が制御手段１３によって抽出され、例えば、「屋内の配線、電化製品から漏電していますので、電気工事会社に連絡してください。」という旨のガイダンスが告知手段１４のスピーカ１４０およびモニタ１４２によって告知される。また、漏電が発生した場合、漏電電流検出用のＬＥＤの発光、および、漏電表示ボタン５５３の外部への突出により、ユーザは、これによって、漏電による停電であることを知ることができる。
【００４８】
つぎに、電気の使いすぎによって停電した場合について説明する。この場合、制御手段１３は、漏電電流検出手段９による漏電電流の検知がなくて、配線用遮断器３のオフ状態による停電であると判断した場合、これに対応するガイダンス情報が制御手段１３によって抽出され、例えば、「電気を使いすぎていないかを確認してください。」という旨のガイダンスが告知手段１４のスピーカ１４０およびモニタ１４２によって告知される。ユーザは、これによって、電気の使いすぎによる停電であることを知ることができる。
【００４９】
以上のように、第１実施形態に係る漏電遮断器２は、通電状態表示手段６によって、一次側において、１線停電か２線停電かを表示するようにしているので、ユーザに対して電力供給の停止の原因が、電力設備にあることを知らしめることができる。これにより、ユーザは電力供給の停止といった非常時であっても戸惑うことなく適切な対応をとることができる。さらに、ユーザは、漏電による停電か、電気の使いすぎによる停電かを告知手段１４によって知ることができるため、停電の原因を詳細に把握することができる。また、第２相の中性線ｃ２の欠相による線間電圧の不平衡（過電圧状態）を欠相検出用のＬＥＤ２１の発光によって知ることもできる。
【００５０】
なお、本発明は、前記第１実施形態に限定されるものではなく、種々変更することができる。
【００５１】
例えば、前記第１実施形態において、漏電遮断器２および複数の配線用遮断器３，…を備えた屋内用分電盤１を例にとって説明したが、これに限定されるものではなく、複数の配線用遮断器３，…のみが電気的に並列に設けられた屋内用分電盤であってもよい。いずれにしても、電力供給の停止の原因を、通電状態表示手段６、線間電圧検知手段７、および漏電電流検出手段９に基づいてガイダンスとして告知することができる。但し、操作性や安全性を考慮すれば、漏電遮断器２を設けて前記第１実施形態と同様に構成することが好ましいことは言うまでもない。
【００５２】
また、前記第１実施形態の場合、３線式の配線ｃ１〜ｃ３が接続される漏電遮断器２の一次側において、第１相の電圧線ｃ１および第２相の中性線間ｃ２に、通電状態表示用のＬＥＤ６１および抵抗Ｒによる直列回路を接続するとともに、第３相の電圧線ｃ３および第２相の中性線ｃ２間に、通電状態表示用のＬＥＤ６３および抵抗Ｒによる直列回路を接続するようにしたが、図５に示すように、第１相の電圧線ｃ１、第２相の中性線ｃ２、第３相の電圧線ｃ３のそれぞれに、通電状態表示用のＬＥＤ６１１〜６１３および抵抗Ｒによる直列回路を分岐接続するようにしてもよい。この場合、ユーザは、第２相の中性線ｃ２が欠相した場合、該中性線ｃ２に分岐接続されたＬＥＤ６１２の消灯によって、第２相の中性線ｃ２が欠相したことを知ることができる。この場合、欠相検出手段８において、ＬＥＤ６１２の消灯を検知して第１線間電圧と第２線間電圧との電圧不平衡を検知する。また、ユーザは、３線ｃ１〜ｃ３のうち、１線でも欠相すれば、一次側において、どの線が欠相したのかを容易に知ることができ、的確な情報を電力会社に連絡することができる。
【００５３】
（第２実施形態）
つぎに第２実施形態に係る開閉器（漏電遮断器および配線用遮断器）について図６〜図９を参照して説明する。図６〜図８において、図２および図４と同一符号は同一もしくは相当するものを示し、異なる点は、漏電遮断器２０の一次側および二次側にそれぞれ通電状態表示手段６を１つずつ配置した点と、配線用遮断器３０，…の一次側に通電状態表示手段６を１つ配置した点と、漏電遮断器２０の一次側に配置された線間電圧検知手段７による検知結果に基づいてガイダンスされる告知内容が新たに付加された点と、配線用遮断器３０に検出処理手段Ａ０が付加された点とである。よって、漏電遮断器２０および配線用遮断器３０，…の電気的要素の異なる構成のみについて以下に説明する。また、使用態様については、停電時のみの使用態様について説明する。なお、図６において、漏電遮断器２０の下方に、複数の配線用遮断器３０，…が配置されているが、屋内用分電盤においては、図１と同様に、漏電遮断器２０の右方に、複数の配線用遮断器３０，…が配置されているものとする。
【００５４】
漏電遮断器２０は、図７に示すように、通電状態表示手段６と、線間電圧検知手段７とを備えている。通電状態表示手段６は、３線式の屋外配線ｃ１〜ｃ３が接続される一次側において、第１相の電圧線ｃ１および第２相の中性線ｃ２の第１線間に、第１通電表示部６０のＬＥＤ６１および抵抗Ｒによる直列回路が接続されている。また、漏電遮断器２０は、接続電線ｃ１１〜ｃ１３が接続される二次側において、第１相の接続電線ｃ１１および第２相の接続電線ｃ１２の線間に、第２通電表示部６２のＬＥＤ６３および抵抗Ｒによる直列回路が接続されている。
【００５５】
配線用遮断器３０，…は、図８に示すように、ＬＥＤ６１および抵抗Ｒによる直列回路を有する通電状態表示手段６が一次側に設けられるとともに、二次側における第１相の室内配線ｃ２１と、第２相の室内配線ｃ２２との間に、線間電圧検知手段７の線間電圧センサ７１（線間電圧検知部７０）が設けられている。そして、検出処理手段Ａ０は、漏電遮断器２０と配線用遮断器３０とを電気的に接続する接続電線ｃ１１，ｃ１２において停電が生じた場合、通電状態検知手段６００によって、ＬＥＤ６１の消灯信号が入力されることで停電を検知して、主接点Ｓ１，Ｓ２を遮断できるように構成されている。また、検出処理手段Ａ０は、配線用遮断器３０の二次側において、第１相の室内配線ｃ２１および第２相の室内配線ｃ２２の少なくともいずれか一方が停電した場合、線間電圧検知手段７００に、線間電圧センサ７１による０Ｖ検知が入力されることで停電を検知して、主接点Ｓ１，Ｓ２を遮断できるように構成されている。
【００５６】
制御手段１３０は、図９に示すように、漏電遮断器２０の一次側において、第１線間電圧センサ７１と第２線間電圧センサ７３とが所定時間ｔの時間差（５分以内）をもって０Ｖを検知した場合、ユーザに対して契約廃止による停電であることを知らしめるように、例えば、「電力会社との契約廃止による停電です。再度ご契約の手続きをお願いします。」という旨が、告知手段１４０のスピーカおよびモニタによって告知される。第１線間電圧センサ７１と第２線間電圧センサ７３とに所定の時間差ｔをもって検知される理由としては、ユーザの料金滞納によって、電力会社との契約が廃止された場合、電力会社の作業者は、契約が廃止されたユーザの住居に出向いて、漏電遮断器２０に接続されている３線式の屋外配線ｃ１〜ｃ３のうち、第１相の電圧線ｃ１を先に引き抜いた後、第３相の電圧線ｃ３をその後に引き抜くことになるためである。
【００５７】
また、漏電遮断器２０の第１線間電圧センサ７１および第２線間電圧センサ７３が同時に０Ｖ検知した場合、もしくは、第１線間電圧センサ７１または第２線間電圧センサ７３のうち、いずれか一方の線間電圧センサ７１，７３が０Ｖ検知した場合、例えば、「外部に停電の原因があるため、最寄りの電力会社に連絡してください。」という旨が、告知手段１４０のスピーカおよびモニタによって告知される。
【００５８】
つぎに停電時の使用態様について参照して説明する。電力供給が停止（停電）した場合、第１線間電圧センサ７１および第２線間電圧センサ７３の検出信号に基づいて、漏電遮断器２０の一次側から電力供給されているか否かを判断する。そして、第１線間電圧センサ７１および第２線間電圧センサ７３から入力信号がない（検出結果が０Ｖである）と判断した場合、一次側（電力設備）での問題で電力供給が停止（停電）したとして、制御手段１３０によって抽出されたガイダンス情報の内容、例えば、「外部に停電の原因があるため、最寄りの電力会社に連絡してください。」という旨が告知手段１４０のスピーカおよびモニタによって告知される。
【００５９】
また、漏電電流検出手段９による漏電電流の検知がなくて、配線用遮断器３０のオフ状態による停電であると判断した場合、制御手段１３０によって、例えば、「電気を使いすぎていないかを確認してください。確認後、オフ状態の配線用遮断器３０のレバーをオン位置にしてください。」という旨のガイダンスが告知手段１４０のスピーカおよびモニタによって告知される。
【００６０】
また、図９に示すように、漏電遮断器２０の一次側において、第１線間電圧センサ７１による０Ｖ検知と、第２線間電圧センサ７３による０Ｖ検知とに所定時間ｔの時間差が生じた場合、制御手段１３０によって、例えば、「電力会社との契約が廃止されたことによって停電になりました。再度ご契約の手続きをしてください。」という旨のガイダンスが告知手段１４０のスピーカおよびモニタによって告知される。なお、ガイダンスなしの停電状態によって、ユーザに知らしめるようにしてもよい。
【００６１】
また、配線用遮断器３０において、通電状態検知手段６００に、ＬＥＤ６１の消灯信号が入力された場合、漏電遮断器２０と配線用遮断器３０とを電気的に接続する接続電線ｃ１１，ｃ１２において停電が生じと判断して、制御手段１３０によって抽出されたガイダンス情報の内容、例えば、「外部に停電の原因があるため、最寄りの電力会社に連絡してください。」という旨が告知手段１４０のスピーカおよびモニタによって告知される。
【００６２】
また、配線用遮断器３０において、線間電圧検知手段７００に、線間電圧センサ７１による０Ｖ検知が入力された場合、配線用遮断器３０の二次側の第１相の電圧線ｃ２１および第２相の中性線ｃ２２の少なくともいずれか一方が停電したと判断して、制御手段１３０によって抽出されたガイダンス情報の内容、例えば、「電気を使いすぎていないかを確認してください。また、配線用遮断器３０のレバー５１がオフ位置になっていないか確認してください。」という旨が告知手段１４０のスピーカおよびモニタによって告知される。
【００６３】
このように、第２実施形態によれば、停電が発生した場合、該停電の原因が、一次側における停電か、電気の使いすぎによる停電かを知ることができることに加えて、電力会社との契約廃止による停電であることを、ユーザは知ることができるため、停電の原因をより的確に把握することができる。
【００６４】
なお、本発明は、前記第２実施形態に限定されるものではなく、種々変更することができる。
【００６５】
例えば、前記第２実施形態の場合、線間電圧検知手段７によって、「電力会社との契約廃止による停電」を検知するようにしたが、図４および図５に示す通電状態表示手段６によって検知するようにしてもよい。
【符号の説明】
【００６６】
１…屋内用分電盤、２，２０…漏電遮断器、３，３０…配線用遮断器、６…通電状態表示手段、６０…第１通電状態表示部、６１，６３、６１１〜６１３…通電状態表示用のＬＥＤ、６２…第２通電状態表示部、６００…通電状態検知手段、７，７００…線間電圧検知手段、７０…第１線間電圧検知部、７１…第１線間電圧センサ、７２…第２線間電圧検知部、７３…第２線間電圧センサ、８…欠相検出手段、８１…欠相検出用のＬＥＤ、９…漏電電流検出手段、９１…漏電電流検出用のＬＥＤ、１０…主接点遮断手段、１１…電源供給手段、１２…記憶手段、１３，１３０…制御手段、１４…告知手段、１４０…スピーカ、１４２…モニタ、Ａ，Ａ０…検出処理手段、ｃ１〜ｃ３…屋外配線、ｃ１１〜ｃ１３…接続電線、ｃ２１〜ｃ２３…室内配線、Ｓ１〜Ｓ３…主接点
【図１】
2013182821.tif 000003
【図２】
2013182821.tif 000004
【図３】
2013182821.tif 000005
【図４】
2013182821.tif 000006
【図５】
2013182821.tif 000007
【図６】
2013182821.tif 000008
【図７】
2013182821.tif 000009
【図８】
2013182821.tif 000010
【図９】
2013182821.tif 000011